(57)【要約】【課題】ヘルメットのユーザの目への負担を低減する。【解決手段】現在地から案内地点までの距離が所定距離未満である場合には、案内画像の通常出力処理と停止処理とを繰り返し行う。案内画像の優先表示要求が行われた場合には、停止処理に優先して案内画像の優先出力処理を行う。優先出力処理と、その後に行われる通常出力処理との間隔が短い場合には、優先出力処理を通常出力処理の開始時まで継続する。【選択図】図９
2020100926.tif 000002
【特許請求の範囲】
【請求項１】
現在地から所定の案内地点までの距離を示す距離情報と、当該案内地点における進行方向を示す方向情報とを取得する情報取得部と、
前記情報取得部により取得された方向情報に基づいて、前記案内地点における進行方向を示す案内画像を生成し、ヘルメットに設けられたコンバイナに当該案内画像を表示させるための表示光を出射する画像出力部とを備えた表示光出射装置であって、
前記画像出力部は、前記情報取得部により取得された距離情報に基づいて現在地から前記案内地点までの距離が所定距離未満であると判定した場合には、前記案内画像を表示させるための表示光を出射する通常出力処理と表示光の出射を停止する停止処理とを所定のタイミングで繰り返し行うとともに、前記案内画像の優先表示要求を検出したときに、前記停止処理に優先して前記案内画像を表示させるための表示光を出射する優先出力処理を一定時間継続して行うように構成され、
さらに、前記画像出力部は、前記優先出力処理が行われたとき、当該優先出力処理の終了時から当該優先出力処理後に行われる前記通常出力処理が開始されるまでの間隔推定を行い、当該間隔推定により得られた間隔が所定未満である場合には、前記優先出力処理を前記通常出力処理が開始されるまで継続して行うように構成されていることを特徴とする表示光出射装置。
【請求項２】
請求項１に記載の表示光出射装置において、
前記画像出力部は、前記情報取得部により取得された距離情報に基づいて前記間隔推定を行うように構成されていることを特徴とする表示光出射装置。
【請求項３】
請求項１又は２に記載の表示光出射装置において、
前記画像出力部は、ユーザにより行われた案内画像の表示操作を、前記案内画像の優先表示要求として検出するように構成されていることを特徴とする表示光出射装置。
【請求項４】
請求項１から３のいずれか１つに記載の表示光出射装置において、
前記情報取得部は携帯電話と接続され、当該携帯電話の状態を取得可能に構成され、
前記画像出力部は、前記情報取得部が前記携帯電話の着信状態を取得したことを、前記案内画像の優先表示要求として検出し、前記案内画像には、着信状態を示す情報を表示するように構成されていることを特徴とする表示光出射装置。
【請求項５】
現在地から所定の案内地点までの距離を示す距離情報と、当該案内地点における進行方向を示す方向情報とを取得する情報取得部と、
前記情報取得部により取得された方向情報に基づいて、前記案内地点における進行方向を示す案内画像を生成し、ヘルメットに設けられたコンバイナに当該案内画像を表示させるための表示光を出射する画像出力部とを備えた表示光出射装置であって、
前記画像出力部は、前記情報取得部により取得された距離情報に基づいて現在地から前記案内地点までの距離が所定距離未満であると判定した場合には、前記案内画像を表示させるための表示光を出射する通常出力処理と表示光の出射を停止する停止処理とを所定のタイミングで繰り返し行うとともに、前記案内画像の優先表示要求を検出したときに、前記停止処理に優先して前記案内画像を表示させるための表示光を出射する優先出力処理を一定時間継続して行うように構成され、
さらに、前記画像出力部は、前記優先出力処理が行われたとき、当該優先出力処理の終了時から当該優先出力処理後に行われる前記通常出力処理が開始されるまでの間隔推定を行い、当該間隔推定により得られた間隔が所定未満である場合には、前記通常出力処理を禁止するように構成されていることを特徴とする表示光出射装置。
【請求項６】
請求項１から５のいずれか１つに記載の表示光出射装置において、
前記画像出力部は、前記案内画像の表示の開始時には、前記案内画像をフェードインさせるとともに、前記案内画像の表示の終了時には、前記案内画像をフェードアウトさせるように前記表示光を出射することを特徴とする表示光出射装置。
【発明の詳細な説明】
【技術分野】
【０００１】
本発明は、ヘルメットに設けられたコンバイナに表示させる画像を出力する表示光出射装置に関する。
【背景技術】
【０００２】
特許文献１には、所定の案内地点までの距離を示す距離情報と、当該案内地点における進行方向を示す方向情報とを通信機器から受信する無線通信部と、無線通信部により受信された距離情報と方向情報とに基づいて、案内地点における進行方向を示す案内画像を生成し、ヘルメットに設けられたコンバイナに当該案内画像を表示させるための表示光を出射する画像出力部とを備えた表示光出射装置が開示されている。
【先行技術文献】
【特許文献】
【０００３】
【特許文献１】特開２００８−６５５９３号公報
【発明の概要】
【発明が解決しようとする課題】
【０００４】
ところで、特許文献１のような表示光出射装置において、無線通信部により受信された距離情報に示される距離が所定の基準距離を下回るときに、コンバイナに案内画像を表示させるための表示光を出射する通常出力処理を行うように構成することで、ヘルメットのユーザは案内地点に到達するまでに複数回、進行方向を見て確認しておくことができるという利点がある。また、ユーザが次の進行方向を確認したくなったときのように、ヘルメットに設けたスイッチが押されたという条件が満たされたときに、コンバイナに案内画像を表示させるための表示光を出射する優先出力処理を行うことで、ユーザの要求に応じて案内画像を表示させることができ、より一層の利便性向上が図られる。
【０００５】
しかし、このようにすると、ユーザの要求に応じて優先出力処理を行った後、すぐに通常出力処理が行われるようなタイミングにあった場合、優先出力処理による案内画像が消えた後、同じ案内画像が通常出力処理によって表示されることになり、しかもその間隔が短いとユーザはチラつきを感じてしまい、ユーザの目への負担が大きくなることが考えられる。
【０００６】
本発明は、かかる点に鑑みてなされたものであり、その目的とするところは、ヘルメットのユーザの目への負担を低減することにある。
【課題を解決するための手段】
【０００７】
第１の発明は、現在地から所定の案内地点までの距離を示す距離情報と、当該案内地点における進行方向を示す方向情報とを取得する情報取得部と、前記情報取得部により取得された方向情報に基づいて、前記案内地点における進行方向を示す案内画像を生成し、ヘルメットに設けられたコンバイナに当該案内画像を表示させるための表示光を出射する画像出力部とを備えた表示光出射装置であって、前記画像出力部は、前記情報取得部により取得された距離情報に基づいて現在地から前記案内地点までの距離が所定距離未満であると判定した場合には、前記案内画像を表示させるための表示光を出射する通常出力処理と表示光の出射を停止する停止処理とを所定のタイミングで繰り返し行うとともに、前記案内画像の優先表示要求を検出したときに、前記停止処理に優先して前記案内画像を表示させるための表示光を出射する優先出力処理を一定時間継続して行うように構成され、さらに、前記画像出力部は、前記優先出力処理が行われたとき、当該優先出力処理の終了時から当該優先出力処理後に行われる前記通常出力処理が開始されるまでの間隔推定を行い、当該間隔推定により得られた間隔が所定未満である場合には、前記優先出力処理を前記通常出力処理が開始されるまで継続して行うように構成されていることを特徴とする。
【０００８】
この構成によれば、ユーザが案内地点まで次第に近づき、現在地から案内地点までの距離が所定距離未満になった場合には、案内画像の通常出力処理と停止処理とが所定のタイミングで複数回繰り返し行われるので、ユーザは案内地点に到達するまでの間に、次の進行方向を確認することが可能になる。また、案内画像の優先表示要求が行われた場合には、停止処理に優先して案内画像の優先出力処理が行われるので、例えばユーザが確認したいときに次の進行方向を確認することが可能になる。そして、優先出力処理と、その後に行われる通常出力処理との間隔が短い場合には、優先出力処理が通常出力処理の開始時まで継続される。これにより、案内画像をコンバイナに表示させたままにできるので、案内画像を消した直後に再び表示させる処理に比べ、ヘルメットのユーザの目への負担を低減できる。
【０００９】
第２の発明は、前記画像出力部は、前記情報取得部により取得された距離情報に基づいて前記間隔推定を行うように構成されていることを特徴とする。
【００１０】
この構成によれば、距離情報に基づくことで、優先出力処理の終了時から当該優先出力処理後に行われる通常出力処理が開始されるまでの間隔推定の結果が正確になる。
【００１１】
第３の発明は、前記画像出力部は、ユーザにより行われた案内画像の表示操作を、前記案内画像の優先表示要求として検出するように構成されていることを特徴とする。
【００１２】
すなわち、例えばユーザが次の案内地点における案内画像を確認すべく、スイッチやボタンを操作することがあり、このことは案内画像の優先表示要求に相当する。したがって、ユーザにより行われた案内画像の表示操作を、案内画像の優先表示要求として検出することで、優先表示要求を的確に検出することができる。
【００１３】
第４の発明は、前記情報取得部は携帯電話と接続され、当該携帯電話の状態を取得可能に構成され、前記画像出力部は、前記情報取得部が前記携帯電話の着信状態を取得したことを、前記案内画像の優先表示要求として検出し、前記案内画像には、着信状態を示す情報を表示するように構成されていることを特徴とする。
【００１４】
この構成によれば、携帯電話が着信状態になったときに、コンバイナに案内画像が表示されるとともに、着信状態を示す情報も表示されるので、ユーザは携帯電話が着信状態にあることを把握できるとともに、次の進行方向も把握できる。着信状態を示す情報には、相手の名前や名称等を含むことができる。
【００１５】
第５の発明は、現在地から所定の案内地点までの距離を示す距離情報と、当該案内地点における進行方向を示す方向情報とを取得する情報取得部と、前記情報取得部により取得された方向情報に基づいて、前記案内地点における進行方向を示す案内画像を生成し、ヘルメットに設けられたコンバイナに当該案内画像を表示させるための表示光を出射する画像出力部とを備えた表示光出射装置であって、前記画像出力部は、前記情報取得部により取得された距離情報に基づいて現在地から前記案内地点までの距離が所定距離未満であると判定した場合には、前記案内画像を表示させるための表示光を出射する通常出力処理と表示光の出射を停止する停止処理とを所定のタイミングで繰り返し行うとともに、前記案内画像の優先表示要求を検出したときに、前記停止処理に優先して前記案内画像を表示させるための表示光を出射する優先出力処理を一定時間継続して行うように構成され、さらに、前記画像出力部は、前記優先出力処理が行われたとき、当該優先出力処理の終了時から当該優先出力処理後に行われる前記通常出力処理が開始されるまでの間隔推定を行い、当該間隔推定により得られた間隔が所定未満である場合には、前記通常出力処理を禁止するように構成されていることを特徴とする。
【００１６】
この構成によれば、ユーザが案内地点まで次第に近づき、現在地から案内地点までの距離が所定距離未満になった場合には、案内画像の通常出力処理と停止処理とが所定のタイミングで複数回繰り返し行われるので、ユーザは案内地点に到達するまでの間に、次の進行方向を確認することが可能になる。また、案内画像の優先表示要求が行われた場合には、停止処理に優先して案内画像の優先出力処理が行われるので、例えばユーザが確認したいときに次の進行方向を確認することが可能になる。そして、優先出力処理と、その後に行われる通常出力処理との間隔が短い場合には、優先出力処理が行われ、通常出力処理が禁止されるので、優先出力処理の直後に通常出力処理が行われることはない。よって、チラつきを防止することができ、ヘルメットのユーザの目への負担を低減できる。
【００１７】
第６の発明は、前記画像出力部は、前記案内画像の表示の開始時には、前記案内画像をフェードインさせるとともに、前記案内画像の表示の終了時には、前記案内画像をフェードアウトさせるように前記表示光を出射することを特徴とする。
【００１８】
これにより、案内画像の表示の開始時には、コンバイナに表示される画像が徐々に明るくなる一方、案内画像の表示の終了時には、コンバイナに表示される画像が徐々に暗くなるので、ヘルメットのユーザの目への負担を低減できる。
【発明の効果】
【００１９】
本発明によれば、案内画像のチラつきを防止することができるので、ヘルメットのユーザの目への負担を低減できる。
【図面の簡単な説明】
【００２０】
【図１】本発明の実施形態１に係る表示光出射装置を備えたナビゲーションシステムの構成を示す外観図である。
【図２】本発明の実施形態１に係る表示光出射装置を備えたナビゲーションシステムの構成を示す機能ブロック図である。
【図３】画像出力部により出力される案内画像の一例を示す図である。
【図４Ａ】現在地から目的地までの距離を表示する案内画像の例を示す図である。
【図４Ｂ】案内地点の名称を表示する案内画像の例を示す図である。
【図４Ｃ】レーンガイダンス情報を表示する案内画像の例を示す図である。
【図４Ｄ】リルート状態を表示する案内画像の例を示す図である。
【図５Ａ】着信状態を表示する案内画像の例を示す図である。
【図５Ｂ】発信状態を表示する案内画像の例を示す図である。
【図５Ｃ】通話中を表示する案内画像の例を示す図である。
【図５Ｄ】終話を表示する案内画像の例を示す図である。
【図６Ａ】ヘッドアップディスプレイ装置のバッテリ残量を表示する案内画像の例を示す図である。
【図６Ｂ】スマートフォンのバッテリ残量を表示する案内画像の例を示す図である。
【図７Ａ】エラーを表示する案内画像の例を示す図である。
【図７Ｂ】通信が接続された状態を表示する案内画像の例を示す図である。
【図７Ｃ】通信が切断された状態を表示する案内画像の例を示す図である。
【図８】本発明の実施形態１に係る表示光出射装置によって実行される定常動作を示すフローチャートである。
【図９】本発明の実施形態１に係る表示光出射装置によって実行される臨時動作を示すフローチャートである。
【図１０】本発明の実施形態１に係る表示光出射装置の動作を例示するタイミングチャートである。
【図１１】実施形態２の図９相当図である。
【図１２】実施形態２の図８相当図である。
【図１３】実施形態２の図１０相当図である。
【発明を実施するための形態】
【００２１】
以下、本発明の実施形態について図面に基づいて説明する。
【００２２】
（実施形態１）
図１は、本発明の実施形態１に係る表示光出射装置を備えたナビゲーションシステム１を示している。このナビゲーションシステム１は、通信機器としてのスマートフォン（携帯電話）１０と、ヘルメット２０とを備えており、自動二輪車用のものである。尚、ナビゲーションシステム１は、自動二輪車以外の乗物、例えば、水上バイク、自転車、スノーモービル（雪上バイク）などにおいても使用することが可能である。
【００２３】
スマートフォン１０は、電話機能及び電話回線を利用したデータ通信機能を有するとともに、図２に示すように、Ｂｌｕｅｔｏｏｔｈ（登録商標）を用いた無線通信を行う無線通信インターフェース１１と、ＧＰＳ受信機１２と、記憶部１０ａと、タッチ操作パネル１０ｂとを備えている。このスマートフォン１０には、スマートフォン１０のＯＳであるモバイルオペレーションシステム１３と、モバイルオペレーションシステム１３上で、ＧＰＳ受信機１２により取得された位置情報等を用いて稼働するカーナビゲーションサービスアプリケーション（以下、「カーナビアプリ」と呼ぶ）１４とが搭載されている。カーナビアプリ１４は、独自の地図情報を保有していてもよいし、スマートフォン１０の記憶部１０ａに記憶されている地図情報を利用してもよいし、必要な地図情報をインターネット経由でダウンロードして用いてもよい。モバイルオペレーションシステム１３やカーナビアプリ１４のプログラム、地図情報は記憶部１０ａに記憶させておくことができる。地図情報には、道路情報や交差点名等も含まれている。
【００２４】
タッチ操作パネル１０ｂは、例えば液晶ディスプレイ等を含んでおり、モバイルオペレーションシステム１３で生成されたユーザインターフェース、各種画像、カーナビアプリ１４の実行画面、各種設定画面等を表示可能に構成されている。また、タッチ操作パネル１０ｂは、例えば感圧式の操作検出手段等も含んでおり、ユーザによるタッチ操作を受け付けるように構成されている。
【００２５】
ＧＰＳ受信機１２は、従来から周知の現在地測位用の機器であり、ほぼリアルタイムで高精度に現在地を測位することができるように構成されている。ＧＰＳ受信機１２で得られた位置情報はモバイルオペレーションシステム１３やカーナビアプリ１４で利用されるようになっている。ＧＰＳ受信機１２で得られた位置情報に基づいて移動速度も算出することができる。スマートフォン１０は、ヘルメット２０を装着したユーザ（自動二輪車のライダー）が所持していることが前提であり、これにより、ユーザ、即ち自動二輪車の現在位置情報及び速度情報を取得することができる。スマートフォン１０は、自動二輪車に着脱可能に取り付けられていてもよいし、ＧＰＳ信号を受信可能なバッグ等に収容されていてもよい。
【００２６】
スマートフォン１０は、カーナビアプリ１４を用い、ＧＰＳ受信機１２で得られた位置情報（現在位置情報）とタッチ操作パネル１０ｂ上で入力された目的地情報とに基づいて現在地から目的地までの経路を自動で探索し、経路設定を行うことができるように構成されている。案内中、現在位置が予め設定された経路から外れた場合には経路の再探索を自動的に実行する、いわゆるオートリルート機能も搭載されている。また、現在地から目的地までの距離（残距離）及び到着予想時刻を算出することもできるように構成されている。また、現在地から目的地までの経路上には、例えば交差点や分岐等の案内地点が複数存在しており、各案内地点での進行方向も経路設定によって決定されている。カーナビアプリ１４は、地図情報と現在地情報とに基づいて、現在地から次の案内地点までの距離及び現在地から次の案内地点に到達するまでの時間を算出するように構成されている。したがって、カーナビアプリ１４は、上述した各情報、例えば、現在地から所定の案内地点までの距離を示す距離情報と、当該案内地点における進行方向を示す方向情報と、現在地から所定の案内地点への道路上の移動速度を示す速度情報とを所定の時間間隔（例えば１秒毎）で取得することが可能になる。
【００２７】
スマートフォン１０は、カーナビアプリ１４で取得した各情報、例えば距離情報、方向情報、速度情報及び残距離を、無線通信インターフェース１１による無線通信によって送信するようになっている。方向情報には、進行すべきレーン（車線）を案内するレーンガイダンス情報も含まれている。案内地点に名称がある場合には、その名称も無線通信インターフェース１１による無線通信によって送信するようになっている。尚、目的地が設定されていない（経路設定がなされていない）場合には、距離情報、方向情報は送信しない。
【００２８】
カーナビアプリ１４は、設定された経路上に渋滞があるか否か等のリアルタイム情報も通信回線を利用して取得できるように構成されている。リアルタイム情報も無線通信インターフェース１１による無線通信によって送信するようになっている。
【００２９】
また、スマートフォン１０は、電話の着信があった場合には着信状態であること、電話による通話中である場合には通話中であること、電話の通話が終わった場合には終話したことを、それぞれ無線通信インターフェース１１による無線通信によって送信する。さらに、スマートフォン１０が有するバッテリの残量も無線通信インターフェース１１による無線通信によって送信する。これらスマートフォン１０の状態は、Ｂｌｕｅｔｏｏｔｈを用いて送信されるように構成されている。
【００３０】
図１に示すように、ヘルメット２０の前面側には、当該ヘルメット２０の装着者の額部と顎部との間に対向するように窓孔２１が形成されている。該窓孔２１の周縁部の左右両側には、透光性を有するシールド２２が上下方向に回動することで窓孔２１を開閉するように取り付けられている。ヘルメット２０の外表面における窓孔２１よりも当該ヘルメット２０の装着者から見て左側、すなわち当該ヘルメット２０の装着者の耳に対応する位置には、第１及び第２のスイッチ２３，２４が配設されている。また、ヘルメット２０の窓孔２１の上縁部における左右方向中央よりも当該ヘルメット２０の装着者から見て右寄りの箇所には、半透明の板状のコンバイナ２６が、取付部材２７を介して内側から取り付けられている。ヘルメット２０の窓孔２１の下方には、本発明の実施形態１に係る表示光出射装置３０と、当該表示光出射装置３０によって出射された表示光をコンバイナ２６に投射するミラー２８とが内蔵されている。案内画像が表示光出射装置３０にて生成され、その案内画像に応じた表示光が表示光出射装置３０から出射された後にミラー２８で反射される。そして、ミラー２８で反射された表示光が、コンバイナ２６に投光されて、コンバイナ２６でヘルメット装着者の視界に入るようにさらに反射される。これにより、ヘルメット装着者は、コンバイナ２６越しに前方視界の風景に重畳した状態で表示光による表示像を虚像として視認することができる。
【００３１】
表示光出射装置３０とコンバイナ２６とミラー２８とで、ヘッドアップディスプレイ装置４０が構成されている。ヘッドアップディスプレイ装置４０には、図２に示すバッテリ５０から電力が供給されるようになっている。バッテリ５０はヘルメット２０に内蔵することができる。
【００３２】
表示光出射装置３０は、図２に示すように、Ｂｌｕｅｔｏｏｔｈを用いてスマートフォン１０と通信可能な無線通信部としてのＢｌｕｅｔｏｏｔｈモジュール３１と、Ｂｌｕｅｔｏｏｔｈモジュール３１により受信された情報に基づいて、コンバイナ２６に表示させる画像を生成し、生成した画像をコンバイナ２６に表示させるための表示光を出射する画像出力部３２とを備えている。表示光出射装置３０は、第１及び第２のスイッチ２３，２４の操作状態を検出可能に構成されており、第１のスイッチ２３が長押しされた（例えば数秒間以上連続して押された）ことを検出すると、起動するようになっている。
【００３３】
Ｂｌｕｅｔｏｏｔｈモジュール３１は、スマートフォン１０の無線通信インターフェース１１に接続され、無線通信インターフェース１１から送信される各種情報を取得する情報取得部である。スマートフォン１０の無線通信インターフェース１１から送信される各種情報には、現在地から所定の案内地点までの距離を示す距離情報、当該案内地点における進行方向を示す方向情報（レーンガイダンス情報を含む）、現在の速度を示す速度情報、残距離、到着予想時刻、案内地点の名称等が含まれている。さらに、Ｂｌｕｅｔｏｏｔｈモジュール３１は、スマートフォン１０の状態として、着信状態、通話中状態、終話に関する情報、電池の残量に関する情報等も取得する。これらの情報は、情報が更新される毎に取得するようにしてもよいし、取得する時間間隔を決めて取得するようにしてもよい。この実施形態１では、１秒毎に取得するようにしている。尚、目的地が設定されていない（経路設定がなされていない）場合には、距離情報、方向情報は取得しない。
【００３４】
画像出力部３２は、マイクロコンピュータ３２ａと、フラッシュＲＯＭ（Read Only Memory）３２ｂと、マイクロコンピュータ３２ａによる指示に基づいて、フラッシュＲＯＭ３２ｂに記憶されている図柄等を組み合わせて案内画像を生成するＧＤＣ（Graphics Display Controller）３２ｃと、ＧＤＣ３２ｃにより生成された案内画像をコンバイナ２６に表示させるための表示光を出射するＬＣＯＳ（Liquid Crystal on Silicon）３２ｄとを備えている。画像出力部３２の構成は上述した構成に限られるものではなく、ヘッドアップディスプレイ装置として使用されている構成を利用することができる。
【００３５】
具体的には、画像出力部３２は、Ｂｌｕｅｔｏｏｔｈモジュール３１で取得された情報に基づいて、例えば図３に示すような案内画像３３を生成し、コンバイナ２６に案内画像３３を表示させるための表示光を出射する。案内画像３３は、方向距離表示領域３３Ａと、各種情報表示領域３３Ｂとに区画することができる。この例では、方向距離表示領域３３Ａが案内画像３３の上半部に設定され、各種情報表示領域３３Ｂが案内画像３３の下半部に設定されているが、これに限られるものはない。
【００３６】
方向距離表示領域３３Ａには、現在地から所定の案内地点までの距離を表示する距離表示領域３３ａと、所定の案内地点における進行方向を表示する方向表示領域３３ｂとが左右方向に並ぶように設けられている。距離表示領域３３ａでは、所定の案内地点までの距離が遠い場合には単位が「ｋｍ」で表示され、所定の案内地点までの距離が１ｋｍを未満になると単位が「ｍ」で表示されるようにしてもよい。方向表示領域３３ｂには、矢印等の進行方向指示画像が表示される。各種情報表示領域３３Ｂには、現在地から目的地まで所要時間の推定値（到着予想時刻３３ｃを表示することができる。また、各種情報表示領域３３Ｂには現在時刻を表示させるようにしてもよい。現在時刻は、スマートフォン１０から取得するようにしてもよいし、表示光出射装置３０が持つ時刻情報から取得するようにしてもよい。
【００３７】
図４Ａに示すように、各種情報表示領域３３Ｂには、現在地から目的地までの残距離３３ｄを表示することもできる。図４Ｂに示すように、各種情報表示領域３３Ｂには、案内地点の名称３３ｅを表示することもできる。図４Ｃに示すように、各種情報表示領域３３Ｂには、レーンガイダンス情報３３ｆを表示することもできる。図４Ｄに示すように、各種情報表示領域３３Ｂには、リルート状態にあることを示すリルート情報３３ｇを表示することもできる。所要時間の推定値３３ｃ、残距離３３ｄ、案内地点の名称３３ｅ及びレーンガイダンス情報３３ｆのうちの任意の１つを、例えばユーザが第１及び第２のスイッチ２３，２４やスマートフォン１０等を操作することによって選択できる。リルート情報３３ｇは、リルートが行われているときに他の表示に代わって自動的に表示される。
【００３８】
図５Ａに示すように、各種情報表示領域３３Ｂには、電話が着信状態にあることを示す着信マーク３３ｈを着信中に表示することもできる。図５Ｂに示すように、各種情報表示領域３３Ｂには、電話が発信状態にあることを示す発信マーク３３ｉを発信中に表示することもできる。図５Ｃに示すように、各種情報表示領域３３Ｂには、電話が通話状態にあることを示す通話中マーク３３ｊを通話中に表示することもできる。着信マーク３３ｈ、発信マーク３３ｉ及び通話中マーク３３ｊと共に、相手の名前や名称等の相手情報を表示することができる。相手情報はスマートフォン１０から取得することができる。また、図５Ｄに示すように、各種情報表示領域３３Ｂには、電話が終了したことを示す終話マーク３３ｋを数秒程度の短時間のみ表示することもできる。着信マーク３３ｈ、発信マーク３３ｉ、通話中マーク３３ｊ及び終話マーク３３ｋは、スマートフォン１０から送信される電話に関する情報に基づいて自動的に表示され、他の表示に優先される。着信マーク３３ｈ、発信マーク３３ｉ、通話中マーク３３ｊ及び終話マーク３３ｋが消去されると、前の情報が再表示される。
【００３９】
図６Ａに示すように、各種情報表示領域３３Ｂには、ヘッドアップディスプレイ装置４０のバッテリ残量３３ｌを表示することもできる。図６Ｂに示すように、各種情報表示領域３３Ｂには、スマートフォン１０のバッテリ残量３３ｍを表示することもできる。バッテリ残量３３ｌ、３３ｍは、数値との組み合わせで表示することができる。バッテリ残量３３ｌ、３３ｍは、例えばユーザが第１及び第２のスイッチ２３，２４等を操作することにより、他の表示に代わって表示される。表示後、数秒程度の短時間で消去されて表示前の情報が再表示される。
【００４０】
図７Ａに示すように、各種情報表示領域３３Ｂには、エラーマーク３３ｎを表示することもできる。エラーマーク３３ｎは、装置の異常時等に他の表示に代わって表示され、異常の程度によって長時間表示してもよいし、短時間表示してもよい。エラーマーク３３ｎには、エラー番号を含むことができる。エラー番号は、装置の異常部位を示す番号等である。図７Ｂに示すように、各種情報表示領域３３Ｂには、通信が接続された状態を表示する接続マーク３３ｐを表示することもでき、具体的にはＢｌｕｅｔｏｏｔｈモジュール３１による通信の接続が成功した時点から数秒間の短時間だけ表示する。図７Ｃに示すように、各種情報表示領域３３Ｂには、通信が切断された状態を表示する切断マーク３３ｒを表示することもでき、具体的にはＢｌｕｅｔｏｏｔｈモジュール３１による通信が何らかの原因によって切断された場合、切断された時点から数秒間の短時間だけ表示する。エラーマーク３３ｎ、接続マーク３３ｐ及び切断マーク３３ｒを表示するときには、距離及び進行方向を消去する。
【００４１】
尚、画像出力部３２による案内画像の出力は、第１のスイッチ２３が短押しされることで、強制的に停止できるようになっている。
【００４２】
以下、上述のように構成されたナビゲーションシステム１の動作について説明する。
【００４３】
まず、自動二輪車等の運転者が、カーナビアプリ１４を起動させた状態のスマートフォン１０を所持または自動二輪車に取付等した状態で、ヘルメット２０を装着して第１のスイッチ２３を長押しすると、表示光出射装置３０が起動する。カーナビアプリ１４を起動させた状態のスマートフォン１０は、１秒毎に更新される各種情報を無線通信インターフェース１１による無線通信によって送信している。表示光出射装置３０は、起動後、Ｂｌｕｅｔｏｏｔｈモジュール３１によるスマートフォン１０との無線通信が成功すると、図７Ｂに示すように、接続マーク３３ｐを表示した案内画像を生成して出力する。経路設定がなされたスマートフォン１０との無線通信が行われている間、図８のフローチャートに示す定常動作を繰り返し実行する。経路が消去されると定常動作は停止する。
【００４４】
定常動作の開始後、まず、ステップＳ１０１において、画像出力部３２のマイクロコンピュータ３２ａが、カウント値ｋを１に初期化する。この値は便宜上設定しているだけである。
【００４５】
次に、ステップＳ１０２では、Ｂｌｕｅｔｏｏｔｈモジュール３１が、スマートフォン１０により送信された各種情報、例えば次の案内地点までの距離情報を含む各情報を受信する。その後、ステップＳ１０３に進む。ステップＳ１０３では、画像出力部３２のマイクロコンピュータ３２ａが、ステップＳ１０２でＢｌｕｅｔｏｏｔｈモジュール３１により受信された距離情報に示される距離Ｄ（次の案内地点までの距離）が所定の基準距離Ｒｋ未満であるか否かを判定する。ここで、Ｒ１〜Ｒ６は、順に、５ｋｍ、４ｋｍ、３ｋｍ、２ｋｍ、１ｋｍ、０．５ｋｍに設定されており、Ｒ１が最も長く、Ｒ６が最も短くなっている。Ｒ１〜Ｒ６の距離は、上記した距離に限られるものではなく、任意の距離に設定することができる。また、Ｒｋの数は、６に限られるものではなく、２以上の任意の数に設定することができる。
【００４６】
ステップＳ１０３でＮＯと判定された場合は、次の案内地点までの距離Ｄが所定の基準距離Ｒｋ以上であり、この場合は、ステップＳ１０２に進む。Ｒｋが最も長いＲ１のときには基準距離が５ｋｍとなり、このときにステップＳ１０３でＮＯと判定されたということは、現在地から次の案内地点まで５ｋｍ以上離れているということである。つまり、現在地から次の案内地点までの距離が十分に長いので、次の案内地点の案内を行う必要がない状況であり、この場合には、ステップＳ１０６やステップＳ１０７の案内画像出力ステップには進まず、ステップＳ１０２に戻り、スマートフォン１０から距離情報を受信する。その後、ステップＳ１０３に進み、上述したように画像出力部３２のマイクロコンピュータ３２ａが、距離Ｄが所定の基準距離Ｒｋ未満であるか否かを判定する。最も長い基準距離であるＲ１は、例えば１０ｋｍ以下に設定するのが好ましく、より好ましくは８ｋｍ以下、さらに好ましいのは５ｋｍ以下である。Ｒ１は、３ｋｍ以上に設定するのが好ましい。
【００４７】
一方、ステップＳ１０３においてＹＥＳと判定されて距離Ｄが所定の基準距離Ｒｋ未満である場合にはステップＳ１０５に進み、画像出力部３２のマイクロコンピュータ３２ａが、カウント値ｋ＝６であるか否かを判定する。ステップＳ１０５に進むということは、現在地から次の案内地点までの距離Ｄが５ｋｍ未満であり、次の案内地点に到達するまでの時間が短くなったということである。ステップＳ１０５でＮＯと判定されてｋ＝６でない、即ちカウント値ｋ＝１〜５であると判定された場合には、ステップＳ１０７に進み、画像出力部３２が、案内画像を生成してコンバイナ２６に表示させるための表示光を出射し続ける。これにより、案内画像が表示され、その表示時間は例えば１０秒間に設定することができるが、案内画像の種類に応じて変更することもできる。すなわち、１０秒間、画像出力部３２のＧＤＣ３２ｃが、マイクロコンピュータ３２ａの指示により案内画像を生成し、ＬＣＯＳ３２ｄが、ＧＤＣ３２ｃによって生成された案内画像をコンバイナ２６に表示させるための表示光を出射する。また、Ｂｌｕｅｔｏｏｔｈモジュール３１により受信される距離情報は１秒毎に更新されるので、生成される案内画像も１秒毎に更新される。表示光の出射を開始してから１０秒経過すると、表示光の出射を終了する。このステップＳ１０７の処理が、案内画像を表示させるための表示光を出射する通常出力処理である。表示光の出射を開始してから１０秒経過すると通常出力処理が終了して、表示光の出射を停止する停止処理に移行する。案内画像を常時表示させることなく、停止処理を行うようにしているので、消費電力を抑制することができる。
【００４８】
ステップＳ１０７に続くステップＳ１０８では、画像出力部３２のマイクロコンピュータ３２ａが、カウント値ｋに１を加算してステップＳ１０２に戻り、スマートフォン１０から距離情報を受信する。その後、ステップＳ１０３に進む。ステップＳ１０３において、ＲｋがＲ２になっていれば、現在地から次の案内地点までの距離Ｄが４ｋｍ未満であるか否かを判定し、ＲｋがＲ３になっていれば、現在地から次の案内地点までの距離Ｄが３ｋｍ未満であるか否かを判定し、ＲｋがＲ４になっていれば、現在地から次の案内地点までの距離Ｄが２ｋｍ未満であるか否かを判定し、ＲｋがＲ５になっていれば、現在地から次の案内地点までの距離Ｄが１ｋｍ未満であるか否かを判定し、ＲｋがＲ６になっていれば、現在地から次の案内地点までの距離Ｄが０．５ｋｍ未満であるか否かを判定することになる。
【００４９】
例えば、現在地から次の案内地点までの距離Ｄが５ｋｍ以上離れていて、そこから次の案内地点へ向かって走行していると仮定する。ステップＳ１０３における判定の基準距離はＲ１である。現在地から次の案内地点までの距離Ｄが５ｋｍ未満になると、ステップＳ１０３でＹＥＳとなり、ステップＳ１０５でＮＯと判定されてステップＳ１０７で１０秒間だけ案内画像が表示され（通常出力処理）、ステップＳ１０８でＲｋがＲ２となり、ステップＳ１０２に進む。通常出力処理の開始前、及び通常出力処理の終了後は、表示光の出射を停止する停止処理が行われる。
【００５０】
案内地点に更に近づき、現在地から案内地点までの距離Ｄが４ｋｍ未満になると、ステップＳ１０３においてＲ２を基準距離として判定されるのでＹＥＳとなり、ステップＳ１０５でＮＯと判定されてステップＳ１０７で１０秒間だけ案内画像が表示され、ステップＳ１０８でＲｋがＲ３となり、ステップＳ１０２に進む。
【００５１】
案内地点に更に近づき、現在地から案内地点までの距離Ｄが３ｋｍ未満になると、ステップＳ１０３においてＲ３を基準距離として判定されるのでＹＥＳとなり、ステップＳ１０５でＮＯと判定されてステップＳ１０７で１０秒間だけ案内画像が表示され、ステップＳ１０８でＲｋがＲ４となり、ステップＳ１０２に進む。その後、案内地点に更に近づき、現在地から案内地点までの距離Ｄが２ｋｍ未満になると、ステップＳ１０３においてＲ４を基準距離として判定されるのでＹＥＳとなり、ステップＳ１０５でＮＯと判定されてステップＳ１０７で１０秒間だけ案内画像が表示され、ステップＳ１０８でＲｋがＲ５となり、ステップＳ１０２に進む。その後、案内地点に更に近づき、現在地から案内地点までの距離Ｄが１ｋｍ未満になると、ステップＳ１０３においてＲ５を基準距離として判定されるのでＹＥＳとなり、ステップＳ１０５でＮＯと判定されてステップＳ１０７で１０秒間だけ案内画像が表示され、ステップＳ１０８でＲｋがＲ６となり、ステップＳ１０２に進む。つまり、画像出力部３２は、現在地から次の案内地点までの距離が５ｋｍ未満であると判定した場合には、案内画像を表示させるための表示光を出射する通常出力処理と、表示光の出射を停止する停止処理とを所定のタイミングで繰り返し行うように構成されているので、ユーザは案内地点に到達するまでに次の進行方向を複数回確認することができる。
【００５２】
その後、案内地点に更に近づき、現在地から次の案内地点までの距離Ｄが０．５ｋｍ未満になると、ステップＳ１０３においてＲ６を基準距離として判定されるのでＹＥＳとなり、ステップＳ１０５では、カウント値ｋ＝６であるので、ＹＥＳと判定されてステップＳ１０６に進む。
【００５３】
ステップＳ１０６では、Ｂｌｕｅｔｏｏｔｈモジュール３１により受信された距離情報に示される距離Ｄが０になるまで、画像出力部３２は、案内画像をコンバイナ２６に表示させるための表示光を出射し続ける。これにより、案内地点に接近した所から案内地点まで継続して次の進行方向をユーザに提示することができる。この間、Ｂｌｕｅｔｏｏｔｈモジュール３１により受信される距離情報は１秒毎に更新されるので、生成される案内画像も１秒毎に更新される。画像出力部３２は、距離情報に示される距離Ｄが０になると、表示光を消すことにより、定常動作における案内画像の表示を終了する。これにより、定常動作が終了する。定常動作の終了後は、案内地点が切り替わるので、上述した定常動作が引き続き実行される。案内地点が目的地となる場合もあり、この場合、距離Ｄは現在地から目的地までの距離になる。
【００５４】
表示光出射装置３０の画像出力部３２は、図８のフローチャートに示す動作を繰り返し実行する間であって、かつ案内画像を出力していないとき、即ち、表示光の出射を停止する停止処理を行っている間に、案内画像の優先表示要求を検出したときに、停止処理に優先して案内画像を表示させるための表示光を出射する優先出力処理を一定時間継続して行うように構成されている。
【００５５】
案内画像の優先表示要求は、例えば、ユーザにより行われた案内画像の表示操作とすることができ、この場合、画像出力部３２は、ユーザにより行われた案内画像の表示操作を、案内画像の優先表示要求として検出するように構成されている。案内画像の表示操作は、例えば、ユーザが次の進行方向を確認したくなったときに行われる操作であり、具体的には第１及び第２のスイッチ２３，２４の一方を押す操作等である。画像出力部３２が停止処理を行っている間に第１及び第２のスイッチ２３，２４の一方を押す操作を検出すると、優先出力処理を一定時間継続して行う。
【００５６】
また、優先表示要求としては、第１及び第２のスイッチ２３，２４の一方を押す操作以外にも、例えば、Ｂｌｕｅｔｏｏｔｈモジュール３１によるスマートフォン１０の無線通信インターフェース１１との無線通信が途絶えてから再度繋がったこと、表示光出射装置３０が起動したこと、画像出力部３２による表示光の出射が強制的に停止された状態から再開されたこと、案内地点が切り替わったこと、リルートが実行されたこと、電話が着信状態になったこと、電話が発信状態になったこと、電話が通話状態になったこと、終話したこと、渋滞情報を受信したこと等である。これらのうち、１つを画像出力部３２が検出すると、案内画像の優先表示要求があったと判定し、優先出力処理を一定時間継続して行う。
【００５７】
具体的には、図９のフローチャートに示しており、この図９のフローチャートに示す動作を、図８に示すフローチャートの通常動作と区別するために、臨時動作と呼ぶこともできる。図９のフローチャートに示す動作は、図８に示すフローチャートの処理と並行して実行するものであり、画像出力部３２が停止処理を行っている間に、案内画像の優先表示要求を検出したときに開始される。開始後のステップＳ２０１では、画像出力部３２が、案内画像をコンバイナ２６に表示させるための表示光の出射を開始する。このステップＳ２０１は、優先出力処理開始ステップである。
【００５８】
次いで、画像出力部３２のマイクロコンピュータ３２ａは、ステップＳ２０２において、ステップＳ２０１で表示光の出射を開始してから所定時間（例えば数秒〜１０秒間の任意の時間）経過するのを待ち、所定時間経過すると、ステップＳ２０３に進む。ステップＳ２０２の所定時間は案内画像の最短の表示時間であり、案内画像毎に変えることができる。なお、Ｂｌｕｅｔｏｏｔｈモジュール３１により受信された距離情報は１秒毎に更新されるので、所定時間経過するのを待つ間に生成される案内画像も１秒毎に更新される。
【００５９】
次に、ステップＳ２０３では、Ｂｌｕｅｔｏｏｔｈモジュール３１が、スマートフォン１０により送信された距離情報を受信し、ステップＳ２０４に進む。
【００６０】
ステップＳ２０４で、画像出力部３２のマイクロコンピュータ３２ａは、ステップＳ２０３でＢｌｕｅｔｏｏｔｈモジュール３１により受信された現在地から次の案内地点までの距離ＤからＲｋを引いた距離を求め、この距離が１００ｍ以下であるか否かを判定する。例えば、現在地から次の案内地点までの距離Ｄが１１００ｍであり、ＲｋがＲ５（１ｋｍ）であった場合には、距離ＤからＲ５を引いた距離が１００ｍであるため、ステップＳ２０４でＹＥＳとなる。一方、現在地から次の案内地点までの距離Ｄが１２００ｍであり、ＲｋがＲ５（１ｋｍ）であった場合には、距離ＤからＲ５を引いた距離が２００ｍであるため、ステップＳ２０４でＮＯとなる。
【００６１】
距離ＤからＲｋを引いた距離が１００ｍ以下であるということは、ユーザがＲｋに到達するまでの時間が短いということである。また、距離ＤからＲｋを引いた距離が１００ｍを超えているということは、ユーザがＲｇに到達するまでの時間が長いということである。図８に示すように、距離ＤがＲｋ未満になると通常出力処理が開始されることになるので、図９のステップＳ２０４では、優先出力処理が行われたとき（ステップS２０１）、当該優先出力処理の終了時から当該優先出力処理後に行われる通常出力処理が開始されるまでの間隔推定を距離情報に基づいて行うことができる。尚、この間隔推定は、時間情報に基づいて行うこともできる。例えば、優先出力処理による案内画像の表示時間は予め決まっているので、優先出力処理の終了時を算出することができる。また、通常出力処理の開始時については、速度情報と距離情報とに基づいて算出することができる。したがって、優先出力処理の終了時と、当該優先出力処理後に行われる通常出力処理の開始時とを算出し、これらの時間間隔を取得することで、上記間隔推定を行うことができる。
【００６２】
ステップＳ２０４で行った間隔推定によって得られた間隔が所定未満である場合には、ＹＥＳと判定されてステップＳ２０５に進む。ステップＳ２０５では、ステップＳ２０１で開始された優先出力処理で出力された案内画像を次の通常出力処理が開始されるまで継続して出力する。つまり、優先出力処理と、その後に行われる通常出力処理との間隔が短い場合には、優先出力処理が通常出力処理の開始時まで継続される。これにより、案内画像をコンバイナ２６に表示させたままにできるので、案内画像を消した直後に再び表示させる処理に比べ、ヘルメット２０のユーザの目への負担を低減できる。
【００６３】
一方、ステップＳ２０４で行った間隔推定によって得られた間隔が所定以上である場合には、ＮＯと判定されてステップＳ２０６に進む。この場合、優先出力処理の終了時から次の通常出力処理が開始されるまでの時間が十分に確保されるので、優先出力処理による案内画像の出力を予め決められた時間で終了する。
【００６４】
なお、ステップＳ２０２の終了後、ステップＳ２０５又はステップＳ２０６が開始されるまでの間、画像出力部３２は、表示光の出射を継続している。また、ステップＳ２０２の終了後、ステップＳ２０５又はステップＳ２０６が開始されるまでの時間は、数ｍｓの短い時間とすることができる。つまり、ステップＳ２０３及びステップＳ２０４は、ステップＳ２０５又はステップＳ２０６を実行する直前に実行することができる。
【００６５】
臨時動作の実行中に、定常動作における表示光の出射（ステップＳ１０６又はステップＳ１０７）が開始されたときには、臨時動作は終了して、通常出力処理が優先される。
【００６６】
したがって、本実施形態１に係る表示光出射装置３０は、起動後、Ｂｌｕｅｔｏｏｔｈモジュール３１によるスマートフォン１０との無線通信が繋がっている間、例えば図１０のタイミングチャートに示すように動作する。図１０において、ｔ１０、ｔ２０、ｔ３２、ｔ４０、ｔ５０、及びｔ６０は、通常出力処理が行われるタイミングである。すなわち、ｔ１０は、現在地から次の案内地点までの距離Ｄが５ｋｍ未満になったタイミングであり、ｔ２０は、現在地から次の案内地点までの距離Ｄが４ｋｍ未満になったタイミングであり、ｔ３２は、現在地から次の案内地点までの距離Ｄが３ｋｍ未満になったタイミングであり、ｔ４０は、現在地から次の案内地点までの距離Ｄが２ｋｍ未満になったタイミングであり、ｔ５０は、現在地から次の案内地点までの距離Ｄが１ｋｍ未満になったタイミングであり、ｔ６０は、現在地から次の案内地点までの距離Ｄが０．５ｋｍ未満になったタイミングである。また、ｔ６１は、現在地から次の案内地点までの距離Ｄ＝０となるタイミングである。
【００６７】
ｔ３０は、画像出力部３２が案内画像の優先表示要求を検出して優先出力処理を開始したタイミングである。優先表示要求の終了時は、優先出力処理の開始時（ｔ３０）から１０秒間経過した時であり、ｔ３１となる。優先表示要求の終了時（ｔ３１）と、次に通常出力処理を開始するタイミング（ｔ３２）の間隔を推定する（ステップＳ２０４）。この例では、間隔が短いので、優先出力処理による案内画像の表示をｔ３２まで継続した場合を示している。
【００６８】
したがって、本実施形態１によると、走行中、ユーザが次の案内地点まで次第に近づき、現在地から案内地点までの距離が所定距離未満になった場合には、案内画像の通常出力処理と停止処理とが所定のタイミングで複数回繰り返し行われるので、ユーザは案内地点に到達するまでの間に、次の進行方向を確認することが可能になる。
【００６９】
また、案内画像の優先表示要求が行われた場合には、案内画像の出力を停止する停止処理に優先して案内画像の優先出力処理が行われるので、例えばユーザが確認したいときに次の進行方向を確認することが可能になる。そして、優先出力処理と、その後に行われる通常出力処理との間隔が短い場合には、優先出力処理が通常出力処理の開始時まで継続される。これにより、案内画像をコンバイナに表示させたままにできるので、案内画像を消した直後に再び表示させる処理に比べ、ヘルメットのユーザの目への負担を低減できる。
【００７０】
（実施形態２）
図１１〜図１３は、本発明の実施形態２に係るものであり、実施形態２は、優先出力処理の終了時から当該優先出力処理後に行われる通常出力処理が開始されるまでの間隔推定を行う点では実施形態１と同じであるが、当該間隔推定により得られた間隔が所定未満である場合には、通常出力処理を禁止するように画像出力部３２が構成されている点で実施形態１と異なっている。以下、実施形態１と同じ部分には同じ符号を付して説明を省略し、異なる部分について詳細に説明する。
【００７１】
図１１は、本発明の実施形態２に係る表示光出射装置３０の臨時動作を示すフローチャートである。本実施形態２では、優先出力処理が開始されたとき、まず、ステップＳ３０１において表示光出射装置３０の画像出力部３２が、１０秒間、案内画像をコンバイナ２６に表示させるための表示光を出射し続ける。Ｂｌｕｅｔｏｏｔｈモジュール３１により受信される距離情報は１秒毎に更新されるので、生成される案内画像も１秒毎に更新される。表示光の出射を開始してから１０秒経過すると、表示光の出射を終了する。
【００７２】
次に、ステップＳ３０２において、画像出力部３２のマイクロコンピュータ３２ａは、表示終了フラグをＯＮにし、臨時動作を終了する。
【００７３】
そして、定常動作では、図１２のフローチャートに示すように、ステップＳ１０３で画像出力部３２のマイクロコンピュータ３２ａがＹＥＳと判定した場合、ステップＳ４０１に進む。ステップ４０１では、画像出力部３２のマイクロコンピュータ３２ａが、表示終了フラグがＯＮであるか否かを判定し、表示終了フラグがＯＮである場合にはステップＳ４０４に進む一方、表示終了フラグがＯＦＦである場合にはステップＳ１０５に進む。
【００７４】
ステップ４０４では、画像出力部３２のマイクロコンピュータ３２ａが、カウント値ｋが６であるか否かを判定する。カウント値ｋが６であるときには、ステップＳ１０６に進み、現在地から次の案内地点までの距離Ｄが０になるまで案内画像の出力を継続する。そして、定常動作が終了し、表示終了フラグはＯＦＦになる。定常動作の終了後は、案内地点が切り替わり、次の定常動作が引き続き実行される。カウント値ｋが６でないときには、ステップＳ１０８に進む。
【００７５】
このように、本実施形態２では、定常動作における表示光の出射が実行される条件が、距離条件に加え、表示間隔条件を含んでいる。
【００７６】
本実施形態２に係る表示光出射装置３０は、起動後、Ｂｌｕｅｔｏｏｔｈモジュール３１によるスマートフォン１０との無線通信が繋がっている間、例えば図１３のタイミングチャートに示すように動作する。図１３において、ｔ４１は、画像出力部３２が案内画像の優先表示要求を検出して優先出力処理を開始したタイミングであり、また、ｔ４２は、優先出力処理を終了するタイミングである。まず、画像出力部３２は、優先出力処理が行われたとき、当該優先出力処理の終了時（ｔ４２）から当該優先出力処理後に行われる通常出力処理の開始時（ｔ４０）までの間隔推定を行う。この間隔の推定手法は実施形態１と同様に行うことができる。
【００７７】
そして、画像出力部３２は、間隔推定により得られた間隔が所定未満であり、ｔ４２とｔ４０とが近い場合には、ｔ４０で開始される予定であった通常出力処理を禁止する。つまり、ステップＳ１０７の処理が行われない。なお、ｔ４２がｔ４０以降である場合には、ｔ４１で開始された優先出力処理の途中において、ｔ４０になった時点で通常出力処理が行われるようになっている。
【００７８】
したがって、本実施形態２によると、優先出力処理と、その後に行われる通常出力処理との間隔が短い場合には、優先出力処理が行われ、通常出力処理が禁止されるので、優先出力処理の直後に通常出力処理が行われることはない。よって、チラつきを防止することができ、ヘルメットのユーザの目への負担を低減できる。
【００７９】
また、画像出力部３２のマイクロコンピュータ３２ａが、ステップＳ２０４の時間推定において、距離ＤからＲｋを引いた値が、１００ｍ以下であるか否かを判定したが、他の所定の設定距離（例えば５０ｍ〜２００ｍの間の任意の距離）以下であるか否かを判定するようにしてもよい。
【００８０】
また、ステップＳ２０４の時間推定を、距離情報に示される距離のみに基づいて行ったが、距離情報に示される距離に加え、Ｂｌｕｅｔｏｏｔｈモジュール３１により受信された速度情報に示される速度に基づいて行うようにしてもよい。具体的には、距離情報に示される距離を速度情報に示される速度で割ることによって所要時間を算出し、算出した所要時間が所定の基準値未満となる場合には、所要時間が短いと判定する一方、算出した所要時間が所定の基準値未満となる場合には、所要時間が短くないと判定するようにしてもよい。これにより、距離情報に示される距離だけに基づいて時間推定を行う場合に比べ、より正確な推定結果を得ることができる。
【００８１】
また、上記実施形態２では、表示間隔条件を、前回の臨時動作における表示光の出射の終了時からの移動距離が１００ｍ以上であるという条件としたが、当該移動距離が１００ｍ以外の所定値以上であるという条件としてもよい。また、表示間隔条件を、前回の臨時動作における表示光の出射の終了時からの経過時間が所定値以上であるという条件としてもよい。
【００８２】
また、上記実施形態１，２において、定常動作及び臨時動作による案内画像の表示の開始時に案内画像をフェードインさせるとともに、定常動作及び臨時動作による案内画像の表示の終了時に案内画像をフェードアウトさせるように画像出力部３２が表示光を出射するようにてもよい。これにより、案内画像の表示の開始時には、コンバイナ２６に表示される画像が徐々に明るくなる一方、前記案内画像の表示の終了時には、コンバイナ２６に表示される画像が徐々に暗くなるので、ヘルメット２０のユーザの目への負担を低減できる。
【産業上の利用可能性】
【００８３】
本発明は、ヘルメットに設けられたコンバイナに表示させる画像を出力する表示光出射装置として有用である。
【符号の説明】
【００８４】
１０      スマートフォン（通信機器、携帯電話）
２０      ヘルメット
２６      コンバイナ
３０      表示光出射装置
３１      Ｂｌｕｅｔｏｏｔｈモジュール（無線通信部、情報取得部）
３２      画像出力部
【図１】
2020100926.tif 000003
【図２】
2020100926.tif 000004
【図３】
2020100926.tif 000005
【図４Ａ】
2020100926.tif 000006
【図４Ｂ】
2020100926.tif 000007
【図４Ｃ】
2020100926.tif 000008
【図４Ｄ】
2020100926.tif 000009
【図５Ａ】
2020100926.tif 000010
【図５Ｂ】
2020100926.tif 000011
【図５Ｃ】
2020100926.tif 000012
【図５Ｄ】
2020100926.tif 000013
【図６Ａ】
2020100926.tif 000014
【図６Ｂ】
2020100926.tif 000015
【図７Ａ】
2020100926.tif 000016
【図７Ｂ】
2020100926.tif 000017
【図７Ｃ】
2020100926.tif 000018
【図８】
2020100926.tif 000019
【図９】
2020100926.tif 000020
【図１０】
2020100926.tif 000021
【図１１】
2020100926.tif 000022
【図１２】
2020100926.tif 000023
【図１３】
2020100926.tif 000024